(57)【要約】【課題】ヒートポンプ給湯装置において、潜熱回収型補助熱源機で発生する凝縮水を利用することで、ヒートポンプ式熱源機の熱交換効率の向上を図ったもの、除霜運転時間の短縮化を図ったもの、等を提供することである。【解決手段】ヒートポンプ給湯装置１は、圧縮機２１と給湯用熱交換器２２と膨張弁２３と外気熱吸収用熱交換器２４とを冷媒回路２５で接続したヒートポンプ式熱源機２０と、給湯用熱交換器２２で加熱された湯水を貯留する貯湯タンク５と、この貯湯タンク５に貯留された湯水の温度が低い場合に加熱する燃焼式の補助熱源機１０であって潜熱回収用熱交換器１０ｄを有する補助熱源機１０とを備え、潜熱回収用熱交換器１０ｄで発生した凝縮水を貯留する為の中和器３１（貯留タンク）を備え、中和器３１の凝縮水を外気熱吸収用熱交換器２４に送給通路３２を介して送給し、外気熱吸収用熱交換器２４と熱交換可能となるように構成している。【選択図】図１
2014228212.tif 000002
【特許請求の範囲】
【請求項１】
圧縮機と湯水加熱用熱交換器と膨張手段と蒸発熱交換器とを冷媒回路で接続したヒートポンプ式熱源機と、前記湯水加熱用熱交換器で加熱された湯水を貯留する貯湯タンクと、この貯湯タンクに貯留された湯水の温度が低い場合に加熱する燃焼式の補助熱源機であって潜熱回収用熱交換器を有する補助熱源機とを備えたヒートポンプ給湯装置において、
前記潜熱回収用熱交換器で発生した凝縮水を貯留する為の貯留タンクを備え、
前記貯留タンクの凝縮水を前記蒸発熱交換器に送給通路を介して送給し、前記蒸発熱交換器と熱交換可能となるように構成したことを特徴とするヒートポンプ給湯装置。
【請求項２】
前記蒸発熱交換器の下側にドレンパンを設け、
前記ドレンパンを介して熱交換後の凝縮水を外部に排出するように構成したことを特徴とする請求項１に記載のヒートポンプ給湯装置。
【請求項３】
前記ヒートポンプ式熱源機における除霜運転時に前記貯留タンクからの送給が行われることを特徴とする請求項１又は２に記載のヒートポンプ給湯装置。
【発明の詳細な説明】
【技術分野】
【０００１】
本発明はヒートポンプ給湯装置に関し、特に補助熱源機の潜熱回収時に発生する凝縮水を利用してヒートポンプ式熱源機の蒸発熱交換器の能力向上や除霜を行うものに関する。
【背景技術】
【０００２】
従来から、冷媒を利用した熱交換式のヒートポンプ給湯装置が一般に広く普及している。この種のヒートポンプ給湯装置は、冷媒により湯水を加熱するヒートポンプ式熱源機、加熱された湯水を貯留する貯湯タンク、ヒートポンプ式熱源機と貯湯タンクとの間に湯水を循環する加熱循環回路等を備え、夜間割引の安価な電力を利用して、貯湯タンク内の湯水を加熱循環回路に循環させてヒートポンプ式熱源機で加熱して、加熱された湯水を貯湯タンク内に戻して貯留しておき、蛇口や風呂等の所望の給湯先に給湯するものである。
【０００３】
上記のヒートポンプ式熱源機においては、例えば、特許文献１に示すように、圧縮機、給湯用熱交換器、膨張弁、蒸発熱交換器が冷媒配管を介して接続されることで構成され、冷媒回路に封入された冷媒を利用して給湯加熱運転が行われる。この給湯加熱運転では、圧縮機と蒸発熱交換器用の送風ファンとが夫々駆動され、給湯用熱交換器により冷媒回路を流れる冷媒と加熱循環回路を流れる湯水との間で熱交換が行われて湯水が加熱される。
【０００４】
ところで、湯水が加熱されると湯水の体積が増加し、貯湯タンクから湯水が溢れることで膨張水が発生する。この膨張水は、一般的に貯湯タンクから逃し弁を介して外部へ排水されるが、特許文献１では、膨張水を逃し弁に連結されたドレンホースを介して、ヒートポンプ式熱源機の蒸発熱交換器に散水することで、膨張水が気化するときの気化熱によって、蒸発熱交換器の周囲の気温が低下し、ヒートポンプ式熱源機の熱交換効率を向上する技術が開示されている。
【０００５】
また、従来のヒートポンプ式熱源機において、蒸発熱交換器で冷媒が外気から吸熱する構造上、寒冷地や冬場等では、蒸発熱交換器の表面に大気中の水蒸気が付着して凍結することで霜が発生する場合がある。蒸発熱交換器に霜が付着すると、蒸発熱交換器における吸熱効率が著しく低下してしまい、結果的にヒートポンプ式熱源機の熱交換効率が低下してしまうという問題がある。
【先行技術文献】
【特許文献】
【０００６】
【特許文献１】特開２００９−２４３８２５号公報
【発明の概要】
【発明が解決しようとする課題】
【０００７】
上述したように、特許文献１では、従来では外部に排水されていた膨張水を利用してヒートポンプ式熱源機の熱交換効率の向上を図っている。しかし、ヒートポンプ給湯装置には、潜熱回収型の補助熱源機を備えたものがあり、潜熱を回収する際に発生する凝縮水は、中和器を通って中和された後に排水配管を介して外部へ排水され、有効に活用されずに無駄になっている。この凝縮水の発生量は、膨張水の発生量と比較して多量であるので、凝縮水を有効に活用することが望ましい。
【０００８】
また、従来のヒートポンプ式熱源機の除霜運転では、圧縮機の熱を利用して高温の冷媒を蒸発熱交換器に流すことで除霜を行っていたが、この除霜方法では、除霜時間が長くなってしまうので、省エネ性に欠けるという問題がある。特許文献１の高温の膨張水を蒸発熱交換器に散水することで除霜可能ではあるが、膨張水の発生は少量である上、膨張水の発生を制御することは難しいので、膨張水の除霜への使用は困難である。
【０００９】
本発明の目的は、ヒートポンプ給湯装置において、潜熱回収型補助熱源機で発生する凝縮水を利用することで、ヒートポンプ式熱源機の熱交換効率の向上を図ったもの、除霜運転時間の短縮化を図ったもの、等を提供することである。
【課題を解決するための手段】
【００１０】
請求項１のヒートポンプ給湯装置は、圧縮機と湯水加熱用熱交換器と膨張手段と蒸発熱交換器とを冷媒回路で接続したヒートポンプ式熱源機と、前記湯水加熱用熱交換器で加熱された湯水を貯留する貯湯タンクと、この貯湯タンクに貯留された湯水の温度が低い場合に加熱する燃焼式の補助熱源機であって潜熱回収用熱交換器を有する補助熱源機とを備えたヒートポンプ給湯装置において、前記潜熱回収用熱交換器で発生した凝縮水を貯留する為の貯留タンクを備え、前記貯留タンクの凝縮水を前記蒸発熱交換器に送給通路を介して送給し、前記蒸発熱交換器と熱交換可能となるように構成したことを特徴としている。
【００１１】
請求項２のヒートポンプ給湯装置は、請求項１の発明において、前記蒸発熱交換器の下側にドレンパンを設け、前記ドレンパンを介して熱交換後の凝縮水を外部に排出するように構成したことを特徴としている。
【００１２】
請求項３のヒートポンプ給湯装置は、請求項１又は２の発明において、前記ヒートポンプ式熱源機における除霜運転時に前記貯留タンクからの送給が行われることを特徴としている。
【発明の効果】
【００１３】
請求項１の発明によれば、潜熱回収用熱交換器で発生した凝縮水を貯留する為の貯留タンクを備え、貯留タンクの凝縮水を蒸発熱交換器に送給通路を介して送給し、蒸発熱交換器と熱交換可能となるように構成したので、蒸発熱交換器へ送給された凝縮水と蒸発熱交換器との間で熱交換することで、蒸発熱交換器内を流れる冷媒の吸熱を促進し、ヒートポンプ式熱源機の熱交換効率の向上を容易に実現することができる。従って、従来では排水されていた潜熱回収時に発生する凝縮水を有効に活用して、ヒートポンプ給湯装置の運転効率を向上することができる。
【００１４】
請求項２の発明によれば、蒸発熱交換器の下側にドレンパンを設け、ドレンパンを介して熱交換後の凝縮水を外部に排出するように構成したので、補助熱源機で発生した凝縮水を排水する為の配管と蒸発熱交換器で発生した凝縮水を排水する為の配管とを一体化することで、施工コストを低減することができる。
【００１５】
請求項３の発明によれば、ヒートポンプ式熱源機における除霜運転時に貯留タンクからの送給が行われるので、貯留された凝縮水を除霜運転開始時に除霜に使用することで、除霜運転時間の短縮化を容易に且つ確実に実現することができ、ヒートポンプ給湯装置の省エネルギー化を図ることができる。
【図面の簡単な説明】
【００１６】
【図１】本発明の実施例に係るヒートポンプ給湯装置の概略構成図である。
【図２】補助熱源機の概略図である。
【図３】外気熱吸収用熱交換器の概略図である
【図４】部分変更形態に係る外気熱吸収用熱交換器の概略図である。
【図５】部分変更形態に係る外気熱吸収用熱交換器の概略図である。
【図６】部分変更形態に係る外気熱吸収用熱交換器の概略図である。
【発明を実施するための形態】
【００１７】
以下、本発明を実施するための形態について実施例に基づいて説明する。
【実施例】
【００１８】
先ず、本発明のヒートポンプ給湯装置１の全体構成について説明する。
図１に示すように、ヒートポンプ給湯装置１は、湯水を貯留する貯湯タンク５を備えた貯湯タンクユニット２、貯湯タンク５の湯水の加熱を行うヒートポンプユニット３、ヒートポンプ給湯装置１を制御する制御ユニット４、貯湯タンクユニット２とヒートポンプユニット３との間に湯水を循環させる循環用配管８、貯湯タンク５に貯留された湯水の温度が低い場合に加熱する燃焼式の補助熱源機１０等から構成されている。
【００１９】
図１に示すように、貯湯タンクユニット２は、縦長筒状の外周面を有する貯湯タンク５、各種の配管６，７，８、湯水循環ポンプ１１、開閉弁１２、混合弁１３、主制御ユニット１６、外装ケース１７等を備えている。貯湯タンク５は、ヒートポンプユニット３で加熱された高温の湯水（例えば、８０〜９０℃）を貯留するものである。
【００２０】
貯湯タンク５には、複数の温度センサ５ａ〜５ｄが高さ方向所定間隔おきの位置に配置され、温度センサ５ａ〜５ｄの温度検出信号が主制御ユニット１６に供給される。外装ケース１７は、薄鋼板製の箱状に形成され、貯湯タンク５、各種の配管６，７，８、湯水循環ポンプ１１、開閉弁１２、混合弁１３、各種の温度センサ１５ａ〜１５ｄ、主制御ユニット１６等を収容している。
【００２１】
給水配管６は、上水源から低温の上水を貯湯タンク５に供給するものであり、上流端が上水源に接続され、下流端が貯湯タンク５の下部に接続されている。給水配管６には、貯湯タンク５へ水道水を供給する為の開閉弁１２が設けられており、通常は開閉弁１２が開弁されていて、水道水を貯湯タンク５内に供給するようになっている。
【００２２】
出湯配管７は、貯湯タンク５内に貯湯された湯水を給湯栓１７等の所望の給湯先に供給するものであり、高温の湯水が流れる上流出湯通路７ａ、水と高温の湯水が混合された混合湯水が流れる下流出湯通路７ｂを有し、下流出湯通路７ｂの下流端が給湯栓１７に接続されている。上流出湯通路７ａと下流出湯通路７ｂとの間には混合弁１３が設置され、この混合弁１３に給水配管６から分岐したバイパス配管１４が接続されている。混合弁１３は、出湯温度が指令温度になるように水と高温の湯水の混合比を制御するものである。
【００２３】
循環加熱回路８は、ヒートポンプ式熱源機２０と貯湯タンク５との間に湯水を循環させる閉回路であり、往き側通路８ａ、戻り側通路８ｂを有し、往き側通路８ａの上流端が貯湯タンク５の下部に接続され、戻り側通路８ｂの下流端が貯湯タンク５の上部に接続されている。往き側通路８ａには、湯水循環ポンプ１１が設置されている。戻り側通路８ｂから戻された高温の湯水を貯湯タンク５内に貯留し、給湯時には貯湯タンク５内の高温の湯水を出湯配管７に供給することができる。
【００２４】
次に、補助熱源機１０について説明する。
図１，図２に示すように、補助熱源機１０が、出湯配管７の下流出湯通路７ｂの途中部分に設けられている。この補助熱源機１０は、燃焼用空気を供給する為の送風ファン１０ａ、燃料ガスを燃焼させるバーナーユニット１０ｂ、燃焼ガスの主として顕熱を回収する顕熱回収用熱交換器１０ｃ、顕熱回収後の燃焼排気ガスの主として潜熱を回収する潜熱回収用熱交換器１０ｄ等を備え、燃料ガスを燃焼して湯水の加熱を行う公知のガス給湯器で構成されている。
【００２５】
補助熱源機１０は、貯湯タンク５内の湯水温度が設定温度以下の場合等の特別な場合に限り、主制御ユニット１６から指令が送信されて燃焼作動され、下流出湯通路７ｂを流れる湯水を再加熱するものである。補助熱源機１０に供給された湯水は、潜熱回収用熱交換器１０ｄにおいて燃焼排気ガスの潜熱により加熱された後、顕熱回収用熱交換器１０ｃに供給され、その顕熱回収用熱交換器１０ｃにより加熱された後、出湯される。
【００２６】
潜熱回収用熱交換器１０ｄの直下には、潜熱回収により発生した凝縮水（ドレン）を受けるトレイ１０ｅが設けられ、このトレイ１０ｅで回収された凝縮水は、ドレン管１０ｆを通って中和器３１（貯留タンクに相当する）に送られる。この中和器３１は、ドレン管１０ｆにより供給される酸性の凝縮水を中和し貯留する為のものであり、箱形の容器、この容器内に収容されたアルカリ性の中和剤等を有する。中和器３１の排出口には、後述する送給通路３２の上流端が接続されている。
【００２７】
次に、ヒートポンプユニット３について説明する。
図１に示すように、ヒートポンプユニット３は、圧縮機２１と、凝縮器としての給湯用熱交換器２２と、高圧の冷媒を急膨張させて温度と圧力を下げる膨張弁２３と、蒸発熱交換器としての外気熱吸収用熱交換器２４とを冷媒回路２５を介して接続して構成されたヒートポンプ式熱源機２０を備え、冷媒回路２５に収容された冷媒を利用して給湯加熱運転を行う。
【００２８】
ヒートポンプユニット３は、さらに、送風モータ２７ａで駆動される蒸発熱交換器用の送風ファン２７と、主制御ユニット１６に接続され且つヒートポンプユニット３を制御する補助制御ユニット２８と、これらを収納する外装ケース２９等を備えている。
【００２９】
圧縮機２１は、気相状態の冷媒を断熱圧縮して温度上昇させる公知の密閉型圧縮機である。
【００３０】
給湯用熱交換器２２（湯水加熱用熱交換器に相当する）は、循環用配管８に設置された熱交換器通路部２２ａと冷媒回路２５の一部となる内部通路２２ｂとを有する二重管で構成されている。給湯用熱交換器２２において、内部通路２２ｂを流れる冷媒と循環用配管８の往き側通路８ａから熱交換器通路部２２ａに供給される湯水との間で熱交換され、湯水は加熱され冷媒は冷却され液化する。
【００３１】
膨張弁２３（膨張手段に相当する）は、液相状態の冷媒を断熱膨張させ温度低下させるものである。膨張弁２３は、絞り量が可変な制御弁からなる。
【００３２】
外気熱吸収用熱交換器２４（蒸発熱交換器に相当する）は、冷媒回路２５に含まれる蒸発器通路部２４ａを有している。この蒸発器通路部２４ａは、伝熱管２４ｂと複数のフィン２４ｃからなり（図３参照）、この外気熱吸収用熱交換器２４において、蒸発器通路部２４ａを流れる冷媒と外気との間で熱交換され、冷媒は外気から吸熱して気化する。
【００３３】
ヒートポンプユニット３の給湯加熱運転時において、圧縮機２１により高圧に圧縮された加熱状態の冷媒は、給湯用熱交換器２２に送られ、湯水循環ポンプ１１の駆動により貯湯タンク５の下端部から往き側配管８ａを経て熱交換器通路部２２ａに流入した水と熱交換してその水を暖め、温度が低下した冷媒は膨張弁２３に送られ、加熱された湯水が戻り側配管８ｂを通って貯湯タンクユニット２の貯湯タンク５に貯留され、ヒートポンプユニット３を経由する加熱動作を繰り返すことで貯湯タンク５に高温の湯水が貯留される。
【００３４】
次に、制御ユニット４について説明する。
図１に示すように、ヒートポンプ給湯装置１は、主制御ユニット１６と補助制御ユニット２８からなる制御ユニット４によって制御される。各種の温度センサ等の検出信号が制御ユニット４に送信され、この制御ユニット４により、貯湯タンクユニット２とヒートポンプユニット３の動作、各種のポンプの作動・停止、各種の弁の開閉状態の切り換え及び開度調整等を制御し、各種運転（加熱循環運転、給湯運転、除霜運転等）を実行する。
【００３５】
主制御ユニット１６は、ユーザーが操作可能な操作リモコン１９との間でデータ通信可能であり、操作リモコン１９のスイッチ操作により目標給湯温度が設定されると、その目標給湯温度データが操作リモコン１９から主制御ユニット１６に送信される。補助制御ユニット２８は、主制御ユニット１６との間でデータ通信可能であり、主制御ユニット１６からの指令に従ってヒートポンプユニット３の各種機器（圧縮機２１、膨張弁２３、送風モータ２７ａ等）の駆動制御を行う。
【００３６】
次に、本発明に係る中和器３１に貯留された凝縮水を外気熱吸収用熱交換器２４に散水する散水構造について説明する。
図１〜図３に示すように、ヒートポンプ給湯装置１は、中和器３１（貯留タンク）の凝縮水を外気熱吸収用熱交換器２４に送給通路３２を介して送給し、外気熱吸収用熱交換器２４と熱交換可能となるように構成されている。外気熱吸収用熱交換器２４は、上述の伝熱管２４ｂと複数のフィン２４ｃに加えてドレン噴射部３５とドレンパン３６を有している。
【００３７】
図１に示すように、送給通路３２の上流端は、貯留タンクユニット２側の中和器３１に接続され、送給通路３２の下流端は、ヒートポンプユニット３側のドレン噴射部３５に接続されている。この送給通路３２における貯留タンクユニット２側の途中部分に送給ポンプ３３が設置されている。この送給ポンプ３３は、主制御ユニット１６からの指令に従って駆動制御され、中和器３１に貯留された凝縮水を送給可能である。
【００３８】
図３に示すように、ドレン噴射部３５は、所定の間隔を空けて形成された複数の噴出孔を備え、外気熱吸収用熱交換器２４の上側に設けられている。このドレン噴射部３５は、送給ポンプ３３の駆動に伴い中和器３１から送給される凝縮水を外気熱吸収用熱交換器２４の上側から複数のフィン２４ｃの外表面に均等に散水することができる。
【００３９】
図３に示すように、ドレンパン３６は、外気熱吸収用熱交換器２４の下側に設けられ、熱交換後の凝縮水を受容可能である。ドレンパン３６には、外部に連なる排水配管３７が接続され、この排水配管３７を介してドレンパン３６に溜まった凝縮水（中和器３１から送給された凝縮水と外気熱吸収用熱交換器２４で発生した凝縮水を含む）を外部に排水可能である。
【００４０】
次に、本発明のヒートポンプ給湯装置１の作用及び効果について説明する。
補助熱源機１０の稼動に伴い、中和器３１には潜熱回収用熱交換器１０ｄの潜熱回収により発生した凝縮水がドレン管１０ｆを通って徐々に貯留される。ここで、例えば、外気熱吸収用熱交換器２４の着霜を検知した場合、給湯用熱交換器２２での熱交換を停止すると共に除霜運転を開始するが、先ずは、予備的な除霜として、送給ポンプ３３を駆動して送給通路３２を介して外気熱吸収用熱交換器２４に凝縮水を送給し、凝縮水をドレン噴射部３５によって複数のフィン２４ｃの外表面に散水する。
【００４１】
そして、複数のフィン２４ｃの外表面に散水された凝縮水によって霜をある程度溶融させた後に、圧縮機２１を駆動し、圧縮機２１による熱を利用した除霜方法で、高温の冷媒を外気熱吸収用熱交換器２４に流して除霜を行う。このように、除霜運転開始時に凝縮水を霜に直接掛けて溶融できるので、圧縮機２１による熱を利用した除霜方法のみの場合と比較して除霜時間を短縮できる。尚、凝縮水の温度は、発生時には３０〜４０℃程度であるが、貯留された状態では徐々に低下してしまう。しかし、中和器３１が器具内に設置されている構造上、凝縮水は外気温度と同程度以上の温度を維持するので、除霜に利用することができる。
【００４２】
また、通常の給湯加熱運転において、送給ポンプ３３を駆動して送給通路３２を介して外気熱吸収用熱交換器２４に凝縮水を送給し、凝縮水をドレン噴射部３５によって複数のフィン２４ｃの外表面に散水することも可能である。この場合、凝縮水を冷媒の吸熱に利用することで、外気より吸熱する場合と比較してより効率良く吸熱することができ、ヒートポンプ式熱源機２０の熱交換効率が向上する。熱交換後の凝縮水は、ドレンパン３６に流入し、排水配管３７を介して外部に排水される。
【００４３】
以上説明したように、潜熱回収用熱交換器１０ｄで発生した凝縮水を貯留する為の中和器３１を備え、中和器３１の中和後の凝縮水を外気熱吸収用熱交換器２４に送給通路３２を介して送給し、外気熱吸収用熱交換器２４と熱交換可能となるように構成したので、外気熱吸収用熱交換器２４へ送給された凝縮水と外気熱吸収用熱交換器２４との間で熱交換することで、外気熱吸収用熱交換器２４内を流れる冷媒の吸熱を促進し、ヒートポンプ式熱源機２０の熱交換効率の向上を容易に実現することができる。従って、従来では排水されていた潜熱回収時に発生する凝縮水を有効に活用して、ヒートポンプ給湯装置１の運転効率を向上することができる。
【００４４】
また、外気熱吸収用熱交換器２４の下側にドレンパン３６を設け、ドレンパン３６を介して熱交換後の凝縮水を外部に排出するように構成したので、補助熱源機１０で発生した凝縮水を排水する為の配管と外気熱吸収用熱交換器２４で発生した凝縮水を排水する為の配管とを一体化することで、施工コストを低減することができる。
【００４５】
さらに、ヒートポンプ式熱源機２０における除霜運転時に中和器３１からの送給が行われるので、貯留された凝縮水を除霜運転開始時に除霜に使用することで、除霜運転時間の短縮化を容易に且つ確実に実現することができ、ヒートポンプ給湯装置１の省エネルギー化を図ることができる。
【００４６】
次に、前記実施例を部分的に変更した例について説明する。
［１］図４に示すように、前記実施例のドレン噴射部３５を省略して、送給通路３２の下流端をドレンパン３６に直接接続した構造であっても良い。この構造によれば、中和器３１から排水配管３７の排水能力を上回る量の凝縮水をドレンパン３６に送給すると、ドレンパン３６に凝縮水を一時的に貯留することができ、この貯留された凝縮水に外気熱吸収用熱交換器２４の下部を接触させることで除霜を行うと共に、通常の給湯加熱運転時ではヒートポンプ式熱源機２０の熱交換効率の向上を図れる。
【００４７】
［２］図５に示すように、前記実施例の外気熱吸収用熱交換器２４の下端部分に設置された伝熱管２４ｂに代えて凝縮水を流す為の凝縮水用配管４０を設置し、この凝縮水用配管４０に送給通路３２の下流端を接続した構造であっても良い。この構造によれば、凝縮水を凝縮水用配管４０に流すことで、外気熱吸収用熱交換器２４の下部と凝縮水との間で熱交換を行うことで除霜を行うと共に、通常の給湯加熱運転時ではヒートポンプ式熱源機２０の熱交換効率の向上を図れる。
【００４８】
［３］前記実施例において、貯湯タンクユニット２とヒートポンプユニット３とは別体に構成しているが、特にこの構造に限定する必要はなく、貯湯タンクユニット２とヒートポンプユニット３とを一体的に構成したものであっても良い。
【００４９】
［４］図６に示すように、凝縮水を一時的に貯留可能な貯水タンク３８を外気熱吸収用熱交換器２４の上側に設置し、送給通路３２Ａの上流端を貯水タンク３８に接続し、送給通路３２Ａの下流端をドレン噴射部３５に接続し、送給通路３２Ａに開閉弁３９を設けた構造であっても良い。即ち、前記実施例では、中和器３１が貯留タンクに相当するものとしているが、この変更形態では、貯水タンク３８が貯留タンクに相当するものである。貯水タンク３８には、前記実施例の中和器３１から延びる配管４１が接続され、中和器３１から凝縮水が供給される。
【００５０】
この構造によれば、開閉弁３９が閉止状態から開放状態に切り換わると、貯水タンク３８の凝縮水が送給通路３２Ａを介してドレン噴射部３５に一気に流れ込み、凝縮水を外気熱吸収用熱交換器２４の複数のフィン２４ｃの外表面に散水することができる。尚、貯湯タンクユニット２とヒートポンプユニット３とが一体型の場合は、中和器３１を貯水タンク３１の上側に設置することで、中和器３１から貯水タンク３８に凝縮水を送給する為のポンプを省略することができる。
【００５１】
［５］前記実施例において、中和器３１が貯留タンクに相当するものとしているが、この構造に限定する必要はなく、送給通路３２における中和器３１と送給ポンプ３３との間の配管部分に凝縮水を貯留可能な貯留タンクを別途設置した構造であって良い。
【００５２】
［６］その他、当業者であれば、本発明の趣旨を逸脱することなく、前記実施例に種々の変更を付加した形態で実施可能であり、本発明はそのような変更形態を包含するものである。
【符号の説明】
【００５３】
１      ヒートポンプ給湯装置
５      貯湯タンク
１０    補助熱源機
１０ｄ  潜熱回収用熱交換器
２０    ヒートポンプ式熱源機
２１    圧縮機
２２    給湯用熱交換器
２３    膨張弁
２４    外気熱吸収用熱交換器
２５    冷媒回路
３１    中和器
３２    送給通路
３６    ドレンパン
【図１】
2014228212.tif 000003
【図２】
2014228212.tif 000004
【図３】
2014228212.tif 000005
【図４】
2014228212.tif 000006
【図５】
2014228212.tif 000007
【図６】
2014228212.tif 000008